(57)【特許請求の範囲】
【請求項１】
蓄熱剤が収納される蓄熱剤収納部が設置された保管容器であって、
前記蓄熱剤収納部は、
前記保管容器のいずれかの内壁面に着脱不可能に設置され、
凝固した蓄熱剤を取り出し可能に収納可能な第１の収納部と、
凝固していない蓄熱剤が取り出し不可能に収納された第２の収納部と、
凝固した蓄熱剤を取り出し可能に収納可能な第３の収納部とが、前記内壁面側からこの順で配置されている保管容器。
【請求項２】
請求項１に記載の保管容器において、
前記第３の収納部の前記第２の収納部とは反対側の面が、通気性を有するシートから構成されている保管容器。
【発明の詳細な説明】
【技術分野】
【０００１】
本発明は、被保管物を蓄熱剤を用いて定温保管する保管容器に関し、特に、複数の蓄熱剤を用いて被保管物を定温保管する保管容器に関する。
【背景技術】
【０００２】
従来より、蓄熱剤を用いて食品等の被保管物を保冷することが行われている。一般に使用されている蓄熱剤は、０℃未満の融解点を持つものが用いられ、例えば、冷凍庫で−２５℃程度の低温で冷却された後に冷凍庫から取り出されて使用される。また、蓄熱剤を凍結させる場合は、凝固点よりも１０℃以上低い環境で凍結させることが一般的であることから、融解点が０℃近傍の蓄熱剤においても、−２５℃の環境で凍結させることがしばしばある。そのため、蓄熱剤を冷凍庫から取り出した状態のまま使用すると、被保管物が０℃以下まで冷やされることになる。
【０００３】
このように蓄熱剤を用いて保冷される被保管物の中には、例えば、検体等のように、その保管環境が２〜８℃程度が好ましく、０℃以下で保冷されることが好ましくないものもある。そこで、そのような被保管物を保冷する場合は、蓄熱剤を冷凍庫から取り出した後に、蓄熱剤の温度を融解点まで上昇させるために常温や冷蔵庫にて３０分〜３時間程度放置した後に使用することが行われている。ところが、蓄熱剤を冷凍庫から取り出してある程度の時間放置することは、効率的ではなく、使用したい時にすぐに使用できない。
【０００４】
ここで、２つの蓄熱剤を用いて被保管物が冷やされすぎないようにすることが考えられている。その場合、２つの蓄熱剤を重ね合わせるように配置し、被保管物側ではない蓄熱剤を凝固した状態とするとともに、被保管物側の蓄熱剤を凝固していない状態とすることにより、被保管物を、凝固していない蓄熱剤を介して凝固した蓄熱剤によって間接的に保冷する。これにより、被保管物の温度が、凝固していない蓄熱剤の凝固点よりも低くなることがなくなり、被保管物が冷やされすぎることを回避することができる。
【０００５】
また、冷凍域において上述した蓄熱剤を用いて被保管物を所望の温度に保つことが行われており、この場合は、２つの蓄熱剤を重ね合わせるように配置し、被保管物側の蓄熱剤を凝固した状態とすることにより、被保管物を所望の温度に保温することができる。
【０００６】
このように２つの蓄熱剤を重ね合わせて被保管物を定温で保管するための定温保管用具が、例えば特許文献１に開示されている。この定温保管用具は、被保管物が収容される保管容器の内壁面に取り付け可能に構成されているとともに、蓄熱剤を収納可能な二層のポケットを有している。そして、二重のポケットそれぞれに収納される蓄熱剤を、上述したように、被保管物側のものと被保管物側ではないものとの一方を凝固した状態とするとともに、他方を凝固していない状態とすることにより、被保管物を所望の温度で保管することができる。
【先行技術文献】
【特許文献】
【０００７】
【特許文献１】意匠登録第１４３３３２２号公報
【発明の概要】
【発明が解決しようとする課題】
【０００８】
しかしながら、上述したような定温保管用具においては、二層のポケットの一方に凝固した蓄熱剤を収納し、他方に凝固していない蓄熱剤を収納することになるため、これらを入れ間違えてしまう虞れがあり、入れ間違えた場合、被保管物を所望の温度で保管することができなくなってしまう。また、保管容器の内壁面に取り付けられる際に、取り付けの向きを間違えてしまう虞れがあり、その場合、上述したように凝固した蓄熱剤と凝固していない蓄熱剤を入れ間違わなかったとしても、凝固した蓄熱剤と凝固していない蓄熱剤との配置が所望のものとは逆となり、上記同様に被保管物を所望の温度で保管することができなくなってしまう。
【０００９】
そこで、本出願人は、被保管物が収容される保管容器の内壁面に取り付けられる定温保管用具であって、第１の蓄熱剤が取り出し不可能に収納された第１の収納部と、定温保管用具が保管容器に取り付けられた場合に第１の収納部の内壁面側に隣接し、第２の蓄熱剤が取り出し可能に収納される第２の収納部とを有し、第２の収納部の第１の収納部とは反対側の外面に、定温保管用具を保管容器に取り付けるための取り付け部を具備する定温保管用具を考え出した。
【００１０】
この定温保管用具においては、被保管物を定温で保管するための蓄熱剤を収納する第１の収納部と第２の収納部のうち、第２の収納部の第１の収納部とは反対側の外面に設けられた取り付け部によって保管容器に取り付けられるので、保管容器に対する取り付け向きを間違えてしまうことを回避できる。また、第１の収納部は、第１の蓄熱剤が取り出し不可能に収納されているので、使用時には第２の収納部に第２の蓄熱剤を収納するだけとなり、被保管物を所望の温度で保管するために第１の蓄熱剤と第２の蓄熱剤との一方を凝固していない状態とし、他方を凝固した状態とした場合に、これら凝固していない蓄熱剤と凝固している蓄熱剤とを、第１の収納部と第２の収納部に入れ間違えることを回避できる。また、上述したように保管容器に正しい向きで取り付けられ、かつ、第１の収納部と第２の収納部に蓄熱剤を入れ間違えることがないことから、被保管物に対する２つの蓄熱剤の位置関係が誤ったものとなることを回避できる。
【００１１】
ところで、上述したような定温保管用具は、保管容器の天井面に取り付けられる場合もある。特に、被保管物を蓄熱剤によって冷却する場合、冷気は一般的には上部から下部に向かうため、定温保管用具を保管容器の天井面に取り付けることが好ましい。その場合、上記取り付け部の構造を、定温保管用具が天井から脱落しにくい構成とする必要がある。例えば、定温保管用具を保管容器の天井面に縫合等によって着脱不可能に取り付けてしまえば、定温保管用具の天井からの脱落を確実に回避することができる。また、定温保管用具を保管容器の天井面以外の内壁面に取り付ける場合も、定温保管用具を保管容器の内壁面に縫合等によって着脱不可能に取り付けてしまえば、保管容器が転倒した場合や、保管容器に強い振動が加わった場合に、定温保管用具が保管容器の内壁面から脱落してしまうことを確実に回避できる。
【００１２】
このように、定温保管用具を保管容器の内壁面に着脱不可能に設置することは、定温保管用具が保管容器の内壁面から脱落してしまうことを確実に回避する有効な手段の１つである。
【００１３】
ここで、上述した定温保管用具を保管容器の内壁面に着脱不可能に設置した場合、被保管物が冷やされすぎることを回避するためには、第２の蓄熱剤を凝固した状態として第２の収納部に収納すれば、凝固した第２の蓄熱剤と被保管物との間に、凝固していない第１の蓄熱剤が介在し、それにより、被保管物が冷やされすぎることを回避することができるが、冷凍域において被保管物を所望の温度に保つ場合は、第１の蓄熱剤を第１の収納部から取り出すことができないため、第１の蓄熱剤を凝固した状態とすることができず、また、第２の蓄熱剤を凝固した状態としても、第２の蓄熱剤を第２の収納部に収納した状態では、第２の蓄熱剤と被保管物との間に、凝固していない第１の蓄熱剤が介在し、被保管物を所望の温度に保温することができなくなってしまう。
【００１４】
また、第１の収納部にファスナー等を取り付け、第１の蓄熱剤を第１の収納部から取り出すことができるような構成とした場合、第１の蓄熱剤を第１の収納部から取り出して凝固した状態とすることができる。しかしながら、上述したように、被保管物を冷やしすぎないようにする場合は第１の蓄熱剤を凝固していない状態とする一方、冷凍域において被保管物を所望の温度に保つ場合は第１の蓄熱剤を凝固した状態として第１の収納部に収納する必要があるため、２つの異なる環境において使用する場合に、第１の蓄熱剤を第１の収納部から取り出し／収納するといった作業が必須となり、作業が煩雑になってしまい、それに伴い、蓄熱剤を収納すべき収納部とは異なる収納部に収納してしまう入れ間違いのミスが生じる虞れがある。
【００１５】
そこで、本出願人は、上述したような凝固された蓄熱剤と凝固されていない蓄熱剤を用いて被保管物を定温保管する構成において、被保管物に対する２つの蓄熱剤の位置関係が誤ったものとなることを回避しながらも、蓄熱剤を収納する部材が保管容器の内壁面から脱落してしまうことを確実に回避できる保管容器について鋭意研究を行った。
【００１６】
本発明は、蓄熱剤を収納する部材が保管容器の内壁面から脱落してしまうことを確実に回避しながらも、凝固された蓄熱剤と凝固されていない蓄熱剤を用いて、これら２つの蓄熱剤の被保管物に対する位置関係が誤ったものとならずに被保管物を定温保管することができる保管容器を提供することを目的とする。
【課題を解決するための手段】
【００１７】
上記目的を達成するために本発明は、
蓄熱剤が収納される蓄熱剤収納部が設置された保管容器であって、
前記蓄熱剤収納部は、
前記保管容器のいずれかの内壁面に着脱不可能に設置され、
凝固した蓄熱剤を取り出し可能に収納可能な第１の収納部と、
凝固していない蓄熱剤が取り出し不可能に収納された第２の収納部と、
凝固した蓄熱剤を取り出し可能に収納可能な第３の収納部とが、前記内壁面側からこの順で配置されている。
【００１８】
上記のように構成された本発明においては、蓄熱剤が収納される蓄熱剤収納部が、保管容器のいずれかの内壁面に着脱不可能に設置されていることにより、蓄熱剤が収納された蓄熱剤収納部が保管容器の内壁面から脱落してしまうことが確実に回避される。また、蓄熱剤収納部が、凝固した蓄熱剤を取り出し可能に収納可能な第１の収納部と、凝固していない蓄熱剤が収納された第２の収納部と、凝固した蓄熱剤を取り出し可能に収納可能な第３の収納部とが、保管容器の取り付けられる内壁面側からこの順で配置されているので、被保管物が冷やされすぎることを回避するためには、第２の収納部に収納された蓄熱剤が凝固していない状態において、凝固した蓄熱剤を第１の収納部に収納することにより、凝固した蓄熱剤と被保管物との間に、凝固していない蓄熱剤が介在し、それにより、被保管物が冷やされすぎることが回避される。また、冷凍域において被保管物を所望の温度に保つ場合は、凝固した蓄熱剤を第３の収納部に収納することにより、凝固した蓄熱剤と被保管物との間には、凝固していない蓄熱剤が介在せず、それにより、冷凍域において被保管物を所望の温度に保つことができる。
【００１９】
また、蓄熱剤収納部が取り付けられる内壁面が、保管容器の天井面であれば、蓄熱剤収納部が保管容器に着脱不可能に設置されていることによる上述した効果が大きい。
【００２０】
また、第３の収納部の第２の収納部とは反対側の面が、通気性を有するシートから構成されていれば、第２の収納部や第３の収納部に収納された蓄熱剤の冷気や熱が被保管物やその周囲に伝達されやすくなり、また、被保管物が冷やされすぎることを回避するために第３の収納部に蓄熱剤を収納しないで使用する場合に、第３の収納部が嵩張りにくくなる。
【発明の効果】
【００２１】
本発明によれば、蓄熱剤が収納される蓄熱剤収納部が、保管容器のいずれかの内壁面に着脱不可能に設置されているため、蓄熱剤が収納された部材が保管容器の内壁面から脱落してしまうことを確実に回避できる。また、第２の収納部に収納された蓄熱剤が凝固していない状態において、凝固した蓄熱剤を第１の収納部に収納することにより、被保管物が冷やされすぎることを回避でき、また、凝固した蓄熱剤を第３の収納部に収納することにより、冷凍域において被保管物を所望の温度に保つことができる。このように、第２の収納部に収納された蓄熱剤を取り出すことなく、使用環境に応じて、凝固した蓄熱剤を第１の収納部と第３の収納部とのいずれかに収納すればよいため、凝固した蓄熱剤と凝固していない蓄熱剤を用いて被保管物を定温保管する場合に、これら２つの蓄熱剤の被保管物に対する位置関係が誤ったものとなることはない。
【００２２】
また、第３の収納部の第２の収納部とは反対側の面が、通気性を有するシートから構成されているものにおいては、第２の収納部や第３の収納部に収納された蓄熱剤の冷気や熱が被保管物やその周囲に伝達されやすくなり、また、被保管物が冷やされすぎることを回避するために第３の収納部に蓄熱剤を収納しないで使用する場合に、第３の収納部が嵩張りにくくすることができる。
【図面の簡単な説明】
【００２３】
【図１】本発明の保管容器の実施の一形態を示す外観斜視図である。
【図２】図１に示した蓄熱剤収納具の構成を示す図であり、（ａ）は外観斜視図、（ｂ）は蓄熱剤収納具が保管容器の蓋部に取り付けられた状態における断面図である。
【図３】図１に示した保管容器に冷やされすぎることを回避したい被保管物を収容する場合の使用方法及び作用を説明するための図である。
【図４】冷凍域において図１に示した保管容器に収容された被保管物を所望の温度に保つ場合の使用方法及び作用を説明するための図である。
【図５】図１に示した保管容器に用いられる蓄熱剤収納具の他の構成例を示す外観斜視図である。
【発明を実施するための形態】
【００２４】
以下に、本発明の実施の形態について図面を参照して説明する。
【００２５】
図１は、本発明の保管容器の実施の一形態を示す外観斜視図である。図２は、図１に示した蓄熱剤収納具２の構成を示す図であり、（ａ）は外観斜視図、（ｂ）は蓄熱剤収納具２が保管容器１の蓋部３に取り付けられた状態における断面図である。
【００２６】
本形態における保管容器１は図１に示すように、底部６と、底部６上に起立した４つの側壁部４とを有し、底部６と側壁部４とによって囲まれた領域が、被保管物が収容される収容スペース５となっている。収容スペース５の底部６とは反対側には蓋部３が蝶番等によって開閉可能に取り付けられており、蓋部３を開けた状態で被保管物が出し入れされ、蓋部３が閉じられた状態で被保管物が所望の温度で保管されることになる。なお、保管容器１の底部６、側壁部４及び蓋部３の収納スペース５側の面のそれぞれが、本発明における内壁面となる。蓋部３には、収容スペース５側の面、すなわち保管容器１の天井面に蓄熱剤収納具２が取り付けられている。
【００２７】
蓄熱剤収納具２は図２に示すように、アルミ等からなり、可撓性を有する２枚の区切りシート１１，２１と、通気性を有するメッシュ状の表シート３１とが重ね合わされて構成されている。
【００２８】
区切りシート１１，２１は、その４辺にて互いに封着されており、それにより、これら２枚の区切りシート１１，２１の間にてそれらの４辺にて囲まれた領域が第２の収納部２０となっている。この収納部２０には、蓄熱剤４０が収納されている。蓄熱剤４０は、区切りシート１１，２１がその４辺にて互いに封着されていることにより、収納部２０に取り出し不可能に収納されている。
【００２９】
区切りシート１１は、その３辺に沿う領域が固定部１２となり、この固定部１２が蓋部３の収容スペース５側の内壁面に固着されることによって蓋部３に取り付けられており、区切りシート１１と蓋部３との間にて、区切りシート１１の固定部１２以外の１辺を開口部とした第１の収納部１０が形成されている。
【００３０】
表シート３１は、区切りシート１１，２１を覆うように配置され、その３辺に沿う領域が固定部３２となり、この固定部３２が蓋部３の収容スペース５側の内壁面に固着されることによって蓋部３に取り付けられており、表シート１１と区切りシート２１との間にて、表シート３１の固定部３２以外の１辺を開口部とした第３の収納部３０が形成されている。なお、区切りシート１１と表シート３１の収納部１０，３０の開口部となる辺は、互いに重なる辺となっている。
【００３１】
区切りシート１１及び表シート３１の蓋部３への取り付けは、区切りシート１１及び表シート３１の固定部１２，３２にて縫合等によって行われており、区切りシート１１及び表シート３１が蓋部３から取り外し不可能となっている。
【００３２】
このように、蓄熱剤収納具２が蓋部３に取り付けられることにより、３つの収納部１０，２０，３０を具備する蓄熱剤収納部が構成される。そして、この蓄熱剤収納部は、保管容器１の蓋部３の内壁面に着脱不可能に設置され、収納部１０と、蓄熱剤４０が取り出し不可能に収納された収納部２０と、収納部３０とが、蓋部３の内壁面側からこの順で配置されていることになる。
【００３３】
以下に、上記のように構成された保管容器１の使用方法及びその際に生じる作用について説明する。
【００３４】
まず、冷やされすぎることを回避したい被保管物を保管容器１に収容する場合の使用方法及び作用について説明する。
【００３５】
図３は、図１に示した保管容器１に冷やされすぎることを回避したい被保管物を収容する場合の使用方法及び作用を説明するための図であり、保管容器１の縦断面図を示す。
【００３６】
図１に示した保管容器１に、冷やされすぎることを回避したい被保管物を収容する場合は、図３に示すように、凝固した蓄熱剤５０を収納部１０に収納して使用する。収納部１０は、区切りシート１１の固定部１２以外の１辺が開口部となっているため、この開口部から蓄熱剤５０を収納部１０に収納することができる。すると、収納部２０に収納された凝固していない蓄熱剤４０が、凝固した蓄熱剤５０と被保管物となる物品７との間に介在することになる。
【００３７】
そして、蓄熱剤５０が凝固しており、蓄熱剤４０が凝固していないことにより、蓄熱剤４０，５０間の熱エネルギーＪ1の交換により、蓄熱剤４０が蓄熱剤５０によって冷却される。そして、冷却された蓄熱剤４０と物品７との間の熱エネルギーＪ2の交換により、物品７が蓄熱剤４０によって保冷される。
【００３８】
このように、物品７が、凝固した蓄熱剤５０によって、凝固していない蓄熱剤４０を介して間接的に保冷されることになる。これにより、物品７の温度が、凝固していない蓄熱剤４０の凝固点よりも低くなることがなくなり、物品７が冷やされすぎることを回避することができる。
【００３９】
この際、収納部３０には蓄熱剤が収納されていないが、表シート３１がメッシュ状のものであるため、蓄熱剤４０の温度による冷気や熱が物品７やその周囲に伝達しやすくなるとともに、収納部３０が嵩張りにくくなっている。
【００４０】
また、区切りシート１１，２１がその４辺にて互いに封着されているとともに、区切りシート１１と表シート３１のそれぞれが、その３辺に沿う固定部１２，３２が蓋部３の収容スペース５側の内壁面に固着されることによって蓋部３に取り付けられているため、蓄熱剤４０，５０が収納された蓄熱剤収納具２が保管容器１の天井から脱落してしまうことを確実に回避することができる。
【００４１】
また、蓄熱剤４０は、凝固していない状態においては定型性を有さないものとなっている。そのため、振動等によって蓄熱剤４０が蓄熱剤収納具２から意図せずに脱落してしまう虞れがある。ところが、凝固していない蓄熱剤４０は、収納部２０にて取り出し不可能に収納されているため、蓄熱剤収納具２から意図せずに脱落してしまうことがない。
【００４２】
次に、冷凍域において被保管物を所望の温度に保つ場合の使用方法及び作用について説明する。
【００４３】
図４は、冷凍域において図１に示した保管容器１に収容された被保管物を所望の温度に保つ場合の使用方法及び作用を説明するための図であり、保管容器１の縦断面図を示す。
【００４４】
冷凍域において図１に示した保管容器１に収容された被保管物を所望の温度に保つ場合は、図４に示すように、凝固した蓄熱剤６０を収納部３０に収納して使用する。収納部３０は、表シート３１の固定部３２以外の１辺が開口部となっているため、この開口部から蓄熱剤６０を収納部３０に収納することができる。すると、収納部２０に収納された凝固していない蓄熱剤４０が存在するものの、この蓄熱剤４０は、凝固した蓄熱剤６０の物品７とは反対側に存在することになるため、凝固した蓄熱剤６０と被保管物となる物品７との間には、凝固していない蓄熱剤が介在しない。
【００４５】
そして、凝固した蓄熱剤６０と物品７との間の熱エネルギーＪの直接の交換により、物品７の温度を蓄熱剤６０の凝固点に応じた温度に保つことができる。この際、表シート３１が通気性を有するメッシュ状のものであるため、凝固した蓄熱剤６０の温度による冷気や熱が物品７やその周囲に伝達しやすくなる。また、凝固していない蓄熱剤４０が、凝固している蓄熱剤６０からの冷気によって冷却されて凝固していくため、凝固した２つの蓄熱剤４０，５０を用いて物品７が一定の温度に保たれることとなり、それにより、１つの蓄熱剤を用いた場合と比べて保温時間を長くすることができる。
【００４６】
また上記同様に、区切りシート１１，２１がその４辺にて互いに封着されているとともに、区切りシート１１と表シート３１のそれぞれが、その３辺に沿う固定部１２，３２が蓋部３の収容スペース５側の内壁面に固着されることによって蓋部３に取り付けられているため、蓄熱剤４０，５０が収納された蓄熱剤収納具２が保管容器１の天井から脱落してしまうことを確実に回避することができる。
【００４７】
上記のように、収納部２０に収納された蓄熱剤４０が凝固していない状態において、凝固した蓄熱剤５０を収納部１０に収納することにより、物品７が冷やされすぎることを回避でき、また、凝固した蓄熱剤６０を収納部３０に収納することにより、冷凍域において物品７を所望の温度に保つことができる。このように、収納部２０に収納された蓄熱剤４０を取り出すことなく、使用環境に応じて、凝固された蓄熱剤を収納部１０と収納部３０とのいずれかに収納すればよいため、２つの蓄熱剤の物品７に対する位置関係が誤ったものとなることがない。
【００４８】
なお、本形態においては表シート３１がメッシュ状のものを例に挙げて説明したが、表シート３１を区切りシート１１，２１と同様の材質から構成してもよい。ただし、表シート３１がメッシュ状のように通気性を有するシートから構成されていれば、上述したように、収納部２０，３０に収納された蓄熱剤の冷気や熱が被保管物やその周囲に伝達されやすくなり、また、被保管物が冷やされすぎることを回避するために収納部３０に蓄熱剤を収納しないで使用する場合に、収納部３０が嵩張りにくくすることができる。その場合、収納部３０の収納部２０とは反対側の一面を表シート３１で覆うのではなく、幅広のバンド等を用いて、収納部３０に収納された蓄熱剤を保持する構成としてもよい。ただし、メッシュ状の表シート３１を用いた方が、蓄熱剤を収納部３０に容易に収納することができる。
【００４９】
また、本形態においては、保管容器１の蓋部３の収納スペース５側の面に蓄熱剤収納具２が取り付けられた場合を例に挙げて説明したが、蓄熱剤収納具２は、保管容器１の保管容器１の底部６、側壁部４及び蓋部３の収納スペース５側の面のいずれに取り付けられてもよい。蓄熱剤収納具２が蓋部３に取り付けられた場合、蓄熱剤収納具２には蓋部３とは反対の方向に重力による力が加わっているため、蓄熱剤収納具２の脱落回避の効果が大きいが、蓄熱剤収納具２が蓋部３以外に取り付けられた場合であっても、保管容器１が転倒した場合や、保管容器１に強い振動が加わった場合に、蓄熱剤収納具２が保管容器１の内壁面から脱落してしまうことを確実に回避できるという効果を奏する。また、本形態のように蓋部３が開閉されることで被保管物が保管容器１に出し入れされるのではなく、側壁部４の１つの面が開閉されることで被保管物が保管容器１に出し入れされる構成のものにおいては、その側壁部４を開閉する際の振動や側壁部４の傾きの変化等によって、蓄熱剤収納具２が保管容器１から脱落してしまう可能性が高まるが、蓄熱剤収納具２がその側壁部４の内壁面に着脱不可能に設置されていることにより、蓄熱剤収納具２の脱落回避の効果を得ることができる。
【００５０】
また、本形態においては、区切りシート１１，２１がその４辺にて互いに封着されることにより、蓄熱剤４０が収納部２０に取り出し不可能に収納されているが、区切りシート１１，２１の一部にファスナー等の開閉自在な取り出し口を設け、蓄熱剤４０をこの取り出し口を介して収納部２０から取り出すことができるようにしてもよい。その場合でも、蓄熱剤４０が収納部２０に収納された状態で取り出し口を閉じることで、上記同様に、振動等によって蓄熱剤４０が蓄熱剤収納具２から意図せずに脱落してしまうことが回避される。
【００５１】
また、本形態においては、区切りシート１１と表シート３１のそれぞれが、その３辺に沿う固定部１２，３２が蓋部３の収容スペース５側の内壁面に固着されることによって、３つの収納部１０，２０，３０を具備する蓄熱剤収納部が、保管容器１の蓋部３の内壁面に着脱不可能に設置され、それにより、蓄熱剤４０，５０が収納された蓄熱剤収納具２が保管容器１の天井から脱落してしまうことを確実に回避することができるが、３つの収納部１０，２０，３０を具備する蓄熱剤収納部が、保管容器１の蓋部３の内壁面に着脱可能に設置されている構成とした場合であっても、蓄熱剤４０，５０が収納された蓄熱剤収納具２が保管容器１の天井から脱落してしまうことを確実に回避することができるという効果は得にくくなってはしまうものの、凝固した蓄熱剤と凝固していない蓄熱剤を用いて被保管物を定温保管する場合に、これら２つの蓄熱剤の被保管物に対する位置関係が誤ったものとなることはないという効果については、上記同様に得ることができる。
【００５２】
（他の実施の形態）
図５は、図１に示した保管容器１に用いられる蓄熱剤収納具の他の構成例を示す外観斜視図である。
【００５３】
本例における蓄熱剤収納具１０２は図５に示すように、図２に示したものに対して、表シート１３１の形状が異なるものである。本例における表シート１３１は、図２に示したもののように保管容器１に固着される固定部３２が設けられておらず、収納部１３０の開口部を構成する辺以外の３辺が区切りシート１２１に固着されている。そして、区切りシート１１１の固定部１１２が保管容器１の蓋部３の収容スペース５側の内壁面に固着されることによって、蓄熱剤収納具１０２が蓋部３に取り付けられることになる。
【符号の説明】
【００５４】
１    保管容器
２，１０２    蓄熱剤収納具
３    蓋部
４    側壁部
５    収容スペース
６    底部
７    物品
１０，２０，３０，１１０，１３０    収納部
１１，２１，１１１，１２１    区切りシート
１２，３２，１１２    固定部
３１，１３１    表シート
４０，５０，６０    蓄熱剤
【図１】
0006498879.tif 000002
【図２】
0006498879.tif 000003
【図３】
0006498879.tif 000004
【図４】
0006498879.tif 000005
【図５】
0006498879.tif 000006